(57)【要約】【課題】別部品を使わず、目的とする強度を達成できる丈夫な家具を提供する。【解決手段】壁に固定して使用される載置台において、壁を覆うように取り付けられる矩形の背板５０と、背板５０の前面５６から立ち上がるように、背板５０の長手方向に並ぶ複数の仕切り板１０，２０，３０と、背板５０を厚み方向に貫通し、各仕切り板１０，２０，３０に結合する複数の第１ピン部材５１１〜５１３，５２１〜５２３，５３１〜５３３と、背板５０の前面５６と交差する仕切り板１０，２０，３０の上方面１３２，２３２，３３２及び背板５０の長辺側の上方面５８に、一面が固定された天板４０とを備える。【選択図】図４
2020054493.tif 000002
【特許請求の範囲】
【請求項１】
壁に固定して使用される家具において、
前記壁を覆うように取り付けられる矩形の背板と、
前記背板の一面から立ち上がるように、該背板の長手方向に並ぶ複数の支え板と、
前記背板を厚み方向に貫通し、各支え板に結合する複数の第１ピン部材と、
前記背板の前記一面と交差する各支え板の第１側面及び前記背板の長辺側の一側面に、一面が固定された天板と
を備えることを特徴とする家具。
【請求項２】
前記背板の短手方向の寸法は、前記短手方向に沿う方向における前記支え板の寸法より長く、
前記天板の前記一面と対向する対向面が、前記第１側面と反対側の各支え板の第２側面に固定された棚板と、  
前記背板を厚み方向に貫通し、前記棚板に結合する複数の第２ピン部材と
を備えることを特徴とする請求項１に記載の家具。
【請求項３】
前記天板の前記一面に設けられた第１突起部と、
各支え板の前記第１側面に形成された第１穴と、
前記第１穴と連通するように前記支え板の内部に設けられ、前記第１穴に挿入される前記第１突起部と係合する第１抜止部と
を備えることを特徴とする請求項１又は２に記載の家具。
【請求項４】
前記天板の前記一面に設けられた第２突起部と、
前記背板の前記一側面に形成された第２穴と、
前記第２穴と連通するように前記背板の内部に設けられ、前記第２穴に挿入される前記第２突起部と係合する第２抜止部と
を備えることを特徴とする請求項１から３の何れか一つに記載の家具。
【請求項５】
前記棚板の前記対向面に設けられた第３突起部と、
各支え板の前記第２側面に形成された第３穴と、
前記第３穴と連通するように前記支え板の内部に設けられ、前記第３穴に挿入される前記第３突起部と係合する第３抜止部と
を備えることを特徴とする請求項２に記載の家具。
【請求項６】
前記第１ピン部材は、前記天板寄り半部にＭ個が設けられ、前記棚板寄り半部にＮ個が設けられ、Ｍ＞Ｎ（Ｍ≧２、Ｎ≧０）であることを特徴とする請求項２に記載の家具。
【請求項７】
前記背板は、前記支え板の近傍で壁に固定されていることを特徴とする請求項１から６の何れか一つに記載の家具。
【請求項８】
前記背板は、壁に当たる面において、前記一側面と反対側の他側面側に形成された切り欠きを備えることを特徴とする請求項１から７の何れか一つに記載の家具。
【発明の詳細な説明】
【技術分野】
【０００１】
本発明は、壁に固定して使用される家具に関する。
【背景技術】
【０００２】
従来、テレビジョン受像機等が載置される机が提案されている（例えば、特許文献１参照）。
特許文献１に記載の机では、机天板とその支持体とで構成した机において、電源用コードや通信用ケーブルを、美しくまた機能的に隠蔽できる構造が提案されている。
【先行技術文献】
【特許文献】
【０００３】
【特許文献１】特開２００３−１３５１６０号公報
【発明の概要】
【発明が解決しようとする課題】
【０００４】
しかしながら、上述したような特許文献１の家具においては、例えば、天板及びその支持体との結合に、Ｌ金具、コーナーコネクター等の部品が使用されており、これらの部品が使用者によって視認され得ることから、家具の見栄えが悪くなるという問題があった。
【０００５】
本発明は、斯かる事情に鑑みてなされたものであり、その目的とするところは、Ｌ金具、コーナーコネクター等の別部品を使わず、見栄えを悪くすることなく、目的とする強度を達成できる丈夫な家具を提供することにある。
【課題を解決するための手段】
【０００６】
本発明に係る家具は、壁に固定して使用される家具において、前記壁を覆うように取り付けられる矩形の背板と、前記背板の一面から立ち上がるように、該背板の長手方向に並ぶ複数の支え板と、前記背板を厚み方向に貫通し、各支え板に結合する複数の第１ピン部材と、前記背板の前記一面と交差する各支え板の第１側面及び前記背板の長辺側の一側面に、一面が固定された天板とを備えることを特徴とする。
【０００７】
本発明にあっては、複数の第１ピン部材が前記背板を厚み方向に貫通して各支え板と結合することにより、前記支え板が前記背板にしっかり固定される。また、前記天板は、各支え板の前記第１側面及び前記背板の前記一側面に固定され、Ｌ金具などを使わずに、前記複数の支え板及び前記背板によって保持される。
【０００８】
本発明に係る家具は、前記背板の短手方向の寸法は、前記短手方向に沿う方向における前記支え板の寸法より長く、前記天板の前記一面と対向する対向面が、前記第１側面と反対側の各支え板の第２側面に固定された棚板と、前記背板を厚み方向に貫通し、前記棚板に結合する複数の第２ピン部材とを備えることを特徴とする。
【０００９】
本発明にあっては、前記棚板は、各支え板の前記第２側面に前記対向面が固定され、前記複数の第２ピン部材によって前記背板に固定される。従って、前記棚板は、Ｌ金具などを使わずに、前記複数の支え板及び前記背板によって保持される。
なお、前記支え板は前記背板の短手方向に沿う方向の寸法が前記背板より短いので、前記支え板の前記第２側面に固定された前記棚板が床から離れた状態にて斯かる家具が設置される。従って、斯かる家具の意匠性を高めることができる。
【００１０】
本発明に係る家具は、前記天板の前記一面に設けられた第１突起部と、各支え板の前記第１側面に形成された第１穴と、前記第１穴と連通するように前記支え板の内部に設けられ、前記第１穴に挿入される前記第１突起部と係合する第１抜止部とを備えることを特徴とする。
【００１１】
本発明にあっては、前記第１抜止部が前記第１突起部と係合することによって、前記天板が前記複数の支え板と緊合され、しっかり保持される。
【００１２】
本発明に係る家具は、前記天板の前記一面に設けられた第２突起部と、前記背板の前記一側面に形成された第２穴と、前記第２穴と連通するように前記背板の内部に設けられ、前記第２穴に挿入される前記第２突起部と係合する第２抜止部とを備えることを特徴とする。
【００１３】
本発明にあっては、前記第２抜止部が前記第２突起部と係合することによって、前記天板が前記背板と緊合され、しっかり保持される。
【００１４】
本発明に係る家具は、前記棚板の前記対向面に設けられた第３突起部と、各支え板の前記第２側面に形成された第３穴と、前記第３穴と連通するように前記支え板の内部に設けられ、前記第３穴に挿入される前記第３突起部と係合する第３抜止部とを備えることを特徴とする。
【００１５】
本発明にあっては、前記第３抜止部が前記第３突起部と係合することによって、前記棚板が前記複数の支え板と緊合され、しっかり保持される。
【００１６】
本発明に係る家具は、前記第１ピン部材は、前記天板寄り半部にＭ個が設けられ、前記棚板寄り半部にＮ個が設けられ、Ｍ＞Ｎ（Ｍ≧２、Ｎ≧０）であることを特徴とする。
【００１７】
本発明にあっては、前記棚板寄り半部に設けられた前記第１ピン部材の数より多い数の前記第１ピン部材を前記天板寄り半部に設けることによって、前記背板を介した前記支え板の壁への固定を前記天板付近にて強める。従って、前記天板がしっかり支持される。
【００１８】
本発明に係る家具は、前記背板は、前記支え板の近傍で壁に固定されていることを特徴とする。
【００１９】
本発明にあっては、前記背板は、前記支え板の近傍にて、例えば、コーススレッドを用いて壁に固定される。従って、前記背板を介した前記支え板の壁への固定をより強めることができ、前記天板がしっかり支持される。
【００２０】
本発明に係る家具は、前記背板は、壁に当たる面において、前記一側面と反対側の他側面側に形成された切り欠きを備えることを特徴とする。
【００２１】
本発明にあっては、前記背板において壁に当たる面に前記切り欠きが形成されているので、例えば、壁にいわゆる巾木が設けられているような場合、斯かる巾木が前記切り欠き内に収容されることによって、前記背板と壁との間に隙間ができることを防止できる。
【発明の効果】
【００２２】
本発明によれば、Ｌ金具、コーナーコネクター等の部品を使わなくても、目的とする強度を達成でき、かつ、Ｌ金具、コーナーコネクター等の部品を使わないので、見栄えを改善できる。
【図面の簡単な説明】
【００２３】
【図１】本実施の形態に係る載置台の外見を表す斜視図である。
【図２】本実施の形態に係る載置台において、天板を分解した状態を示す図である。
【図３】本実施の形態に係る載置台において、仕切り板を省略した状態を示す図である。
【図４】本実施の形態に係る載置台において、仕切り板及び棚板を省略した状態を示す図である。
【図５】本実施の形態に係る載置台の仕切り板を右側から見た部分的側面図である。
【図６】図５のＶＩ−ＶＩ線による部分的断面図である。
【図７】本実施の形態に係る載置台において、仕切り板と天板との固定が完了した状態を示す図である。
【図８】本実施の形態に係る載置台の上方抜止部を示す図である。
【図９】本実施の形態に係る載置台における背板の後面を概略的に示す図である。
【図１０】図２のＸ−Ｘ線による断面図である。
【図１１】実施の形態２に係る載置台の外見を表す斜視図である。
【発明を実施するための形態】
【００２４】
以下に、本発明の実施の形態に係る家具を、テレビジョン受像機等が載置される載置台に適用した場合を例として、図面に基づいて詳述する。
【００２５】
（実施の形態１）
図１は、本実施の形態に係る載置台１００の外見を表す斜視図である。以下においては、説明の便宜上、図面視上、下、左、右を夫々上、下、左、右とし、載置台１００の手前の方を前、奥行きの方を後とする。
【００２６】
載置台１００は、壁４００に取り付けられる背板５０と、背板５０の上端部に固定され、上面にテレビジョン受像機等が載置される天板４０と、天板４０と対向配置されており、背板５０の下端部に固定された棚板６０と、天板４０及び棚板６０の間に介在する複数の仕切り板１０，２０，３０（支え板）とを備える。
【００２７】
背板５０、天板４０及び棚板６０は左右方向に延びる矩形であり、天板４０及び棚板６０は、互いに類似する形状をなしている。仕切り板１０，２０，３０は同一の矩形であり、例えば、背板５０の長手方向に並設されている。天板４０又は棚板６０の左右方向における両端には仕切り板が設けられておらず、意匠性を高めている。
本実施の形態においては、仕切り板が３枚である場合を例として説明するが、本実施の形態に係る載置台１００はこれに限るものではなく、仕切り板が３枚以下、又は３枚以上であっても良く、互いに異なる形状であっても良い。
【００２８】
天板４０は、長手方向の中間部に天板４０を厚み方向に貫通する後述の貫通孔が形成されており、前記貫通穴はカバー２００によって蓋されている。また、仕切り板１０，２０，３０には凹部が形成され、斯かる凹部に後述する上方抜止部及び下方抜止部が設けられている。前記凹部はカバー３００によって蓋されている。
【００２９】
図２は、本実施の形態に係る載置台１００において、天板４０を分解した状態を示す図であり、図３は、本実施の形態に係る載置台１００において、仕切り板１０，２０，３０を省略した状態を示す図であり、図４は、本実施の形態に係る載置台１００において、仕切り板１０，２０，３０及び棚板６０を省略した状態を示す図である。
図３及び図４においては、説明の便宜上、仕切り板１０，２０，３０及び棚板６０を二点鎖線で示しており、カバー２００，３００は省略している。
【００３０】
天板４０は、仕切り板１０，２０，３０及び背板５０に固定されている。天板４０は、中央部の後側に、天板４０を厚み方向に貫通する貫通孔４４，４４が形成されている。
仕切り板１０，２０，３０は、矩形であり、後方の側面である後側側面１３１，２３１，３３１（第１側面）が背板５０の前面５６に当接した状態にて、背板５０に固定されている。仕切り板１０，２０，３０は背板５０の長手方向に、等間隔にて並設されており、この際、後側側面１３１，２３１，３３１と交差する仕切り板１０，２０，３０の上方面１３２，２３２，３３２（第１側面）と、背板５０の上方面５８（長辺側の一側面）とは面一をなす。天板４０は、下面４５（図５−図７参照）が仕切り板１０，２０，３０の上方面１３２，２３２，３３２と、背板５０の上方面５８と当接した状態で仕切り板１０，２０，３０及び背板５０に固定される。
【００３１】
天板４０の下面４５には、仕切り板１０との固定の為に、第１突起部４１Ｆ，４１Ｂが設けられており、仕切り板２０との固定の為に、第１突起部４２Ｆ，４２Ｂが設けられており、仕切り板３０との固定の為に、第１突起部４３Ｆ，４３Ｂが設けられている。
また、天板４０の下面４５には、背板５０との固定の為に、第２突起部４５１−４５４が設けられている。第２突起部４５１−４５４は、天板４０の後側端部にて、天板４０の長手方向に並設されている。
【００３２】
仕切り板１０は、上方面１３２において第１突起部４１Ｆ，４１Ｂと整合する位置に、上方面穴１０１，１０２（第１穴）が形成されている。また、仕切り板２０は、上方面２３２において第１突起部４２Ｆ，４２Ｂと整合する位置に、上方面穴２０１，２０２（第１穴）が形成されている。更に、仕切り板３０は、上方面３３２において第１突起部４３Ｆ，４３Ｂと整合する位置に、上方面穴３０１，３０２（第１穴）が形成されている。
なお、背板５０は、上方面５８において第２突起部４５１−４５４と整合する夫々の位置に、挿通穴５１−５４（第２穴）が形成されている。
【００３３】
第１突起部４１Ｆ，４１Ｂは上方面穴１０１，１０２の一端の開口から上方面穴１０１，１０２に挿入され、上方面穴１０１，１０２の他端に設けられた上方抜止部１１，１２（第１抜止部）と係合する。また、第１突起部４２Ｆ，４２Ｂは上方面穴２０１，２０２の一端の開口から上方面穴２０１，２０２に挿入され、上方面穴２０１，２０２の他端に設けられた上方抜止部２１，２２（第１抜止部）と係合する。更に、第１突起部４３Ｆ，４３Ｂは、上方面穴３０１，３０２の一端の開口から上方面穴３０１，３０２に挿入され、上方面穴３０１，３０２の他端に設けられた上方抜止部３１，３２（第１抜止部）と係合する。
なお、第２突起部４５１−４５４は、挿通穴５１−５４の一端の開口から挿通穴５１−５４に挿入され、挿通穴５１−５４の他端に設けられた後述の抜止部５５１−５５４と夫々係合する。
これによって、天板４０が仕切り板１０，２０，３０及び背板５０に固定される。即ち、仕切り板１０，２０，３０及び背板５０においては同一機構によって天板４０を固定している。
【００３４】
以下、図５−図８に基づいて、本実施の形態に係る載置台１００における、仕切り板１０，２０，３０と天板４０との固定を詳しく説明する。以下においては、説明の便宜上、仕切り板１０と天板４０との固定について説明し、仕切り板２０，３０については詳しい説明を省略する。
図５は、本実施の形態に係る載置台１００の仕切り板１０を右側から見た部分的側面図であり、図６は、図５のＶＩ−ＶＩ線による部分的断面図であり、図７は、仕切り板１０と天板４０との固定が完了した状態を示す図である。また、図８は、本実施の形態に係る載置台１００の上方抜止部１１を示す図である。
【００３５】
先ず、第１突起部４１Ｆ，４１Ｂについて説明する。第１突起部４１Ｆ，４１Ｂは、天板４０の下面４５に螺合されている。第１突起部４１Ｆ及び第１突起部４１Ｂは同じ構成を有するので、以下では第１突起部４１Ｆについてのみ説明する。
【００３６】
第１突起部４１Ｆは、円柱状の第１軸４１１を有しており、第１軸４１１の一端部には、周面に雄ネジが形成された円柱状の雄ネジ部４１４が設けられている。雄ネジ部４１４は、天板４０の下面４５に対して垂直に、下面４５にねじ込まれる。
また、第１軸４１１の他端部には、第１軸４１１より小径の円柱状の第２軸４１２が設けられており、第２軸４１２の先端部には、第１軸４１１よりも小径且つ第２軸４１２よりも大径の円盤状のネジ頭４１３が設けられている。
第１軸４１１、第２軸４１２、ネジ頭４１３及び雄ネジ部４１４は同一軸心上に位置している。
【００３７】
仕切り板１０の内部には上方抜止部１１，１２が設けられている。仕切り板１０の右側面には、上側に、円形の凹部１４１，１４２が形成されている。  凹部１４１，１４２は、上方面穴１０１，１０２の他端と夫々連通するように形成されている。凹部１４１，１４２には上方抜止部１１，１２が夫々嵌め込まれている。
【００３８】
上方抜止部１１，１２は、円盤１１１と円筒１１２とを同軸に有する。円盤１１１及び円筒１１２夫々は、凹部１４１の半径と同程度の半径を有する。円筒１１２は円盤１１１の周縁部から立ち上がる。円筒１１２は、円筒１１２の周方向の一部が、軸長方向の全長に亘って切り欠かれたように開口している。円筒１１２の軸長方向の中央部には、周方向に延びるスリット１１３が設けられる。スリット１１３の周方向の一端部は、円筒１１２の周方向の端部を切り欠くようにして、開放されている。スリット１１３の幅は、第１突起部４１Ｆの第２軸４１２の直径より長く、ネジ頭４１３の直径より短い。
【００３９】
円盤１１１の外面の中心部には十字溝１１４が設けてある。円盤１１１の外面の外周部には矢印１１５及び目印１１６が周方向に並設されている。十字溝１１４には、例えばドライバが挿入可能である。
矢印１１５は円盤１１１の周方向に延びる矢符である。矢印１１５は例えば時計回り方向の矢印である。スリット１１３の開放側の端部は、矢印１１５が示す方向の端部である。
目印１１６は、円筒１１２の周面が開口している位置を示す。これは、第１突起部４１Ｆのネジ頭４１３を、円筒１１２の内部に円筒１１２の径方向に挿入可能な位置である。
【００４０】
上方抜止部１１は、円盤１１１を外側に向けて凹部１４１に同軸に嵌め込まれる。このとき、円筒１１２は上方面穴１０１の最奥部に挿入される。凹部１４１に嵌め込まれた上方抜止部１１の周方向の初期位置は、目印１１６が上方面穴１０１の開口側に向く位置である。このとき、円筒１１２の内面の周方向中央部が上方面穴１０１の開口に対向する。
十字溝１１４に挿入されたドライバから周方向の回転力が与えられた場合、上方抜止部１１は凹部１４１の内部で周方向に回転する。作業者は、仕切り板１０の右側面から、例えばドライバを用いて上方抜止部１１を回転させることができる。
【００４１】
本実施の形態に係る載置台１００の製造工程にて、作業者は、第１突起部４１Ｆを上方面穴１０１に挿入する。第１突起部４１Ｆが上方面穴１０１に挿入された場合、第１突起部４１Ｆのネジ頭４１３は、目印１１６の位置で、円筒１１２の内部に進入する。
【００４２】
次いで、作業者は、ドライバを用いて上方抜止部１１を矢印１１５が示す方向に回転させる。上方抜止部１１が、矢印１１５が示す方向に１８０°回転した場合、目印１１６が上方面穴１０１の最奥部側に向く。
【００４３】
上方抜止部１１，１２が初期位置から矢印１１５の向きに約９０°以上回転すると、第１突起部４１Ｆの第２軸４１２が、スリット１１３の開放側の端部からスリット１１３の内部に挿入される。スリット１１３の幅はネジ頭４１３の直径よりも短いので、円筒１１２の内面におけるスリット１１３の幅方向の両側部が、第１突起部４１Ｆのネジ頭４１３に係合する（図７参照）。この結果、第１突起部４１Ｆが上方抜止部１１に保持される。
【００４４】
円筒１１２の内面におけるスリット１１３の幅方向の両側部には、カム面１１７，１１７が設けられる。第１突起部４１Ｆのネジ頭４１３がスリット１１３の両側部に係合している場合、ネジ頭４１３はカム面１１７，１１７に接触する。円筒１１２の、各カム面１１７が設けられている部分の厚みは、矢印１１５が示す方向に徐々に薄くなる。
【００４５】
上方抜止部１１が矢印１１５の向きに回転している場合、スリット１１３の両側部に係合しているネジ頭４１３は、カム面１１７，１１７に相対的に摺動する。このとき、カム面１１７，１１７が、ネジ頭４１３をカムフォロワとして、第１突起部４１Ｆが上方面穴１０１に挿入される方向に第１突起部４１Ｆを導く。
【００４６】
よって、天板４０の下面４５を仕切り板１０の上方面１３２に当接させた状態で、天板４０を仕切り板１０に緊結できる。
【００４７】
第１突起部４２Ｆ，４２Ｂ，４３Ｆ，４３Ｂは、第１突起部４１Ｆと同一構成であるので、詳しい説明を省略する。また、上方抜止部２１，２２，３１，３２は、上方抜止部１１と同一構成であるので、詳しい説明を省略する。
【００４８】
第２突起部４５１−４５４は、第１突起部４１Ｆと同一構成であるので、詳しい説明を省略する。また、背板５０は、抜止部５５１−５５４を用いて、仕切り板１０，２０，３０と同様に、天板４０を固定しているので、詳しい説明を省略する。
【００４９】
そして背板５０には、仕切り板１０の後側側面１３１と整合する位置に、第１ピン部材５１１，５１２，５１３が突設されている（図３参照）。仕切り板１０の後側側面１３１において第１ピン部材５１１，５１２，５１３と整合する位置には、縦固定穴１２１，１２２，１２３が夫々形成されている。縦固定穴１２１，１２２，１２３は前後方向に延びており、互いに平行している。第１ピン部材５１１，５１２，５１３が縦固定穴１２１，１２２，１２３に夫々内嵌されることによって、仕切り板１０が背板５０に固定されている。
【００５０】
また、背板５０には、仕切り板２０の後側側面２３１と整合する位置に、第１ピン部材５２１，５２２，５２３が突設されている（図３又は図４参照）。仕切り板２０の後側側面２３１において第１ピン部材５２１，５２２，５２３と整合する位置には、縦固定穴２２１，２２２，２２３が夫々形成されている。縦固定穴２２１，２２２，２２３は前後方向に延びており、互いに平行している。第１ピン部材５２１，５２２，５２３が縦固定穴２２１，２２２，２２３に夫々内嵌されることによって、仕切り板２０が背板５０に固定されている。
【００５１】
更に、背板５０には、仕切り板３０の後側側面３３１と整合する位置に、第１ピン部材５３１，５３２，５３３が突設されている（図３参照）。仕切り板３０の後側側面３３１において第１ピン部材５３１，５３２，５３３と整合する位置には、縦固定穴３２１，３２２，３２３が夫々形成されている。縦固定穴３２１，３２２，３２３は前後方向に延びており、互いに平行している。第１ピン部材５３１，５３２，５３３が縦固定穴３２１，３２２，３２３に夫々内嵌されることによって、仕切り板３０が背板５０に固定されている。
【００５２】
即ち、仕切り板１０，２０，３０は背板５０を介して壁４００に固定される。以下、背板５０への仕切り板１０の固定方法について詳しく説明する。背板５０への仕切り板２０，３０の固定方法は、仕切り板１０の固定方法と同じであるので、詳しい説明を省略する。
【００５３】
図９は、本実施の形態に係る載置台１００における背板５０の後面５７を概略的に示す図である。後面５７は、背板５０を壁４００に取り付ける際、壁４００と接する面である。図９においては、説明の便宜上、仕切り板１０，２０，３０及び棚板６０の位置を破線にて示している。
【００５４】
仕切り板１０を固定する第１ピン部材５１１，５１２，５１３は、例えば、コンフィルマートである。第１ピン部材５１１，５１２，５１３は、下方に向けて、この順に並設されている。第１ピン部材５１１，５１２，５１３は背板５０を厚み方向に貫通し、第１ピン部材５１１，５１２，５１３の先端部が仕切り板１０の後側側面１３１の縦固定穴１２１，１２２，１２３に夫々ねじ込まれている。
【００５５】
図１０は、図２のＸ−Ｘ線による断面図である。図１０は、仕切り板１０と背板５０との固定を示している。また、図１０においては、棚板６０と背板５０との固定についても示している。説明の便宜上、天板４０については図示を省略している。
【００５６】
背板５０には、仕切り板１０の後側側面１３１と整合する位置に、背板５０を厚み方向に貫通し、第１ピン部材５１１，５１２，５１３が挿入される縦挿入孔５６０，５７０，５８０が形成されている。縦挿入孔５６０，５７０，５８０及び縦固定穴１２１，１２２，１２３は同一軸心上に位置する。第１ピン部材５１１，５１２，５１３は、背板５０の後面５７から縦挿入孔５６０，５７０，５８０に挿入され、先端部が縦固定穴１２１，１２２，１２３に夫々ねじ込まれている。即ち、第１ピン部材５１１，５１２，５１３は、縦挿入孔５６０，５７０，５８０及び縦固定穴１２１，１２２，１２３と螺合している。
【００５７】
また、縦挿入孔５６０，５７０，５８０は、後面５７側の開口に凹部５６１，５７１，５８１が形成されている。凹部５６１，５７１，５８１は、縦挿入孔５６０，５７０，５８０の径より大きい径の円形であり、第１ピン部材５１１，５１２，５１３のネジ頭に倣う形状を有する。
【００５８】
従って、第１ピン部材５１１，５１２，５１３が、縦挿入孔５６０，５７０，５８０及び縦固定穴１２１，１２２，１２３と螺合する場合、第１ピン部材５１１，５１２，５１３のネジ頭は背板５０の後面５７よりはみ出ることはない。よって、背板５０（後面５７）が壁４００と密着できる。
【００５９】
この際、縦固定穴１２１，１２２（第１ピン部材５１１，５１２）は、仕切り板１０の後側側面１３１の上端寄りに設けられ、縦固定穴１２３（第１ピン部材５１３）は下端寄りに設けられている。換言すれば、縦固定穴１２１，１２２（第１ピン部材５１１，５１２）は、天板４０寄りに設けられ、縦固定穴１２３（第１ピン部材５１３）は棚板６０寄りに設けられている。即ち、縦固定穴１２１，１２２，１２３（第１ピン部材５１１，５１２，５１３）において、天板４０寄り半部に設けられたものの数（Ｍ）は棚板６０寄り半部に設けられたものの数（Ｎ）より多い。Ｎは、例えば、０以上である。
【００６０】
このような構成を有することから、本実施の形態に係る載置台１００においては、天板４０の近傍において、仕切り板１０，２０，３０と背板５０との固定を強化することができる。即ち、仕切り板１０，２０，３０は背板５０を介して壁４００に固定されるが、斯かる壁４００への固定を天板４０付近にて強めることができる。従って、仕切り板１０，２０，３０に固定される天板４０にかかる負荷を部分的に壁４００に分散させることができる。
【００６１】
一方、上述したように、背板５０は、上方面５８において第２突起部４５１−４５４と整合する夫々の位置に、挿通穴５１−５４が形成されている。第２突起部４５１−４５４は挿通穴５１−５４の一端の開口から挿通穴５１−５４に挿入され、挿通穴５１−５４の他端に設けられた抜止部５５１−５５４（第２抜止部）と係合する。これによって、天板４０は、下面４５が背板５０の上方面５８と当接した状態にて、背板５０に緊合される。
【００６２】
第２突起部４５１−４５４と抜止部５５１−５５４との係合は、第１突起部４１Ｆ，４１Ｂと上方抜止部１１，１２との係合と同じであり、第１突起部４１Ｆ，４１Ｂと上方抜止部１１，１２との係合については既に説明しているので、詳しい説明を省略する。
【００６３】
以上のように、本実施の形態に係る載置台１００において、天板４０は、下面４５が仕切り板１０，２０，３０の上方面１３２，２３２，３３２と、背板５０の上方面５８と当接した状態にて、仕切り板１０，２０，３０及び背板５０に緊合される。更に、仕切り板１０，２０，３０は背板５０にしっかり固定される。
【００６４】
背板５０は、背板５０を厚み方向に貫通する貫通孔５０１−５１０が形成されており、背板５０を壁４００に取り付ける際には、貫通孔５０１−５１０が用いられる。具体的には、貫通孔５０１−５１０に例えばコーススレッドを挿入して、コーススレッドを壁４００にねじ込むことによって、背板５０を壁４００にしっかり固定できる。
【００６５】
背板５０は仕切り板１０，２０，３０の近傍で壁に固定されている。即ち、本実施の形態に係る載置台１００において、貫通孔５０２−５０９は、仕切り板１０，２０，３０の近傍に形成されている。図９に示すように、貫通孔５０２，５０３は仕切り板１０の右側付近に形成されており、貫通孔５０４，５０５は仕切り板２０の左側付近に形成されており、貫通孔５０６，５０７は仕切り板２０の右側付近に形成されており、貫通孔５０８，５０９は仕切り板３０の左側付近に形成されている。仕切り板１０，２０，３０のうち中央に位置する、仕切り板２０に対しては、左右両側の近傍に貫通孔５０４−５０７が形成されている。
【００６６】
貫通孔５０２−５０９は、仕切り板１０，２０，３０から、例えば、５０ｍｍ以内、より好ましくは３０ｍｍ以内の範囲内に形成される。
【００６７】
このように、貫通孔５０２−５０９が、仕切り板１０，２０，３０の近傍に形成されていることから、即ち、仕切り板１０，２０，３０の近傍にてコーススレッドを壁４００にねじ込んで固定することによって、仕切り板１０，２０，３０付近において、背板５０と壁４００とを密着させ、固定を強化できる。
【００６８】
以上のような構成を有することから、本実施の形態に係る載置台１００においては、天板４０にテレビジョン受像機等が載置された場合、天板４０にかかる負荷の一部は仕切り板１０，２０，３０を介して背板５０に伝わり、天板４０にかかる負荷の他の一部は直接背板５０に伝わる。このように背板５０に伝わった負荷は壁４００に伝わる。
従って、壁４００から遠ざかることにつれて、天板４０（仕切り板１０，２０，３０）が下に垂れること（以下、前垂れと言う。）を防止出来る。しかも、Ｌ金具、コーナーコネクター等を用いることなく前垂れを防止出来る。従って、Ｌ金具、コーナーコネクター等を使用することによる、載置台１００の意匠性の低下を防ぐことができる。
【００６９】
背板５０の短手方向に沿う方向、即ち、上下方向において、仕切り板１０，２０，３０の寸法は、背板５０の寸法より短い。このような仕切り板１０，２０，３０においては、上方面１３２，２３２，３３２と反対側の下方面１３３，２３３，３３３（第２側面）に、棚板６０の上面６１（対向面）が当接した状態にて固定されている。上面６１は、天板４０の下面４５と反対側の面である。また、棚板６０は、長辺側の側面であって、後方の後側側面６２（当接側面）が背板５０の前面５６に当接した状態にて、背板５０に固定されている。
【００７０】
棚板６０の上面６１には、仕切り板１０との固定の為に、第３突起部６１１，６１２が設けられており、仕切り板２０との固定の為に、第３突起部６２１，６２２が設けられており、仕切り板３０との固定の為に、第３突起部６３１，６３２が設けられている。
【００７１】
一方、仕切り板１０では、下方面１３３において第３突起部６１１，６１２と整合する位置に、下方面穴１０３，１０４（第３穴）が形成されている。また、仕切り板２０では、下方面２３３において第３突起部６２１，６２２と整合する位置に、下方面穴２０３，２０４（第３穴）が形成されている。更に、仕切り板３０では、下方面３３３において第３突起部６３１，６３２と整合する位置に、下方面穴３０３，３０４（第３穴）が形成されている。
【００７２】
第３突起部６１１，６１２は下方面穴１０３，１０４の一端の開口から下方面穴１０３，１０４に挿入され、下方面穴１０３，１０４の他端に設けられた下方抜止部１３，１４（第３抜止部）と係合する。また、第３突起部６２１，６２２は下方面穴２０３，２０４の一端の開口から下方面穴２０３，２０４に挿入され、下方面穴２０３，２０４の他端に設けられた下方抜止部２３，２４（第３抜止部）と係合する。更に、第３突起部６３１，６３２は、下方面穴３０３，３０４の一端の開口から下方面穴３０３，３０４に挿入され、下方面穴３０３，３０４の他端に設けられた下方抜止部３３，３４（第３抜止部）と係合する。
【００７３】
第３突起部６１１，６１２と下方抜止部１３，１４との係合、第３突起部６２１，６２２と下方抜止部２３，２４との係合、第３突起部６３１，６３２と下方抜止部３３，３４との係合は、上述した、第１突起部４１Ｆ，４１Ｂと上方抜止部１１，１２との係合と同一構成であるので、詳しい説明を省略する。
【００７４】
このような、第３突起部６１１，６１２，６２１，６２２，６３１，６３２と下方抜止部１３，１４，２３，２４，３３，３４との係合によって、棚板６０の上面６１を仕切り板１０，２０，３０の下方面１３３，２３３，３３３に当接させた状態で、棚板６０を仕切り板１０，２０，３０に緊結できる。
【００７５】
そして背板５０では、棚板６０の後側側面６２と整合する位置に、第２ピン部材５４１−５４５が突設されている（図４参照）。棚板６０の後側側面６２において第２ピン部材５４１−５４５と整合する位置には、横固定穴６４１−６４５が夫々形成されている。横固定穴６４１−６４５は前後方向に延びており、互いに平行している。横固定穴６４１−６４５（第２ピン部材５４１−５４５）は等間隔にて並設されている。第２ピン部材５４１−５４５が横固定穴６４１−６４５に夫々内嵌されることによって、棚板６０が背板５０に固定されている。以下、図９及び図１０に基づいて、詳しく説明する。
【００７６】
棚板６０を固定する第２ピン部材５４１−５４５は、例えば、コンフィルマートである。第２ピン部材５４１−５４５としてのコンフィルマートは、前記第１ピン部材としてのコンフィルマートよりも長いものが望ましい。
第２ピン部材５４１−５４５は、左端から右端に向けて、この順に並設されている。第２ピン部材５４１−５４５は背板５０を厚み方向に貫通し、第２ピン部材５４１−５４５の先端部が棚板６０の後側側面６２の横固定穴６４１−６４５に夫々ねじ込まれている。
【００７７】
背板５０には、棚板６０の後側側面６２と整合する位置に、背板５０を厚み方向に貫通しており、第２ピン部材５４１−５４５が挿入される横挿入孔５９１−５９５が形成されている。横挿入孔５９１−５９５及び横固定穴６４１−６４５は同一軸心上に位置する。第２ピン部材５４１−５４５は、背板５０の後面５７から横挿入孔５９１−５９５に挿入され、先端部が横固定穴６４１−６４５に夫々ねじ込まれている。即ち、第２ピン部材５４１−５４５は、横挿入孔５９１−５９５及び横固定穴６４１−６４５と螺合している。
【００７８】
例えば、横挿入孔５９１は、後面５７側の開口に凹部５９０が形成されている。凹部５９０は、横挿入孔５９１の径より大きい径の円形であり、第２ピン部材５４１のネジ頭に倣う形状を有する。これは、横挿入孔５９２−５９５においても同様であり、詳しい説明を省略する。
【００７９】
従って、第２ピン部材５４１−５４５が、横挿入孔５９１−５９５及び横固定穴６４１−６４５と螺合する場合、第２ピン部材５４１−５４５のネジ頭は背板５０の後面５７よりはみ出ることはない。よって、背板５０（後面５７）が壁４００と密着できる。
【００８０】
以上のように、本実施の形態に係る載置台１００において、天板４０は、下面４５が仕切り板１０，２０，３０の上方面１３２，２３２，３３２と当接した状態にて、仕切り板１０，２０，３０に緊合される。更に、仕切り板１０，２０，３０は背板５０にしっかり固定される。
更に、棚板６０は、上面６１が仕切り板１０，２０，３０の下方面１３３，２３３，３３３と当接した状態にて、仕切り板１０，２０，３０に緊合される。更に、棚板６０は後側側面６２が背板５０の前面５６と当接した状態にて、背板５０にしっかり固定される。
【００８１】
このような構成を有することから、本実施の形態に係る載置台１００においては、仕切り板１０，２０，３０に固定される天板４０にかかる負荷を部分的に壁４００に分散させることができる。
【００８２】
即ち、本実施の形態に係る載置台１００においては、天板４０にテレビジョン受像機等が載置された場合、天板４０にかかる負荷のうち、一部は仕切り板１０，２０，３０及び背板５０を介して壁４００に伝わり、他の一部は仕切り板１０，２０，３０を介して棚板６０に伝わり、このように棚板６０に伝わった負荷は背板５０を介して壁４００に伝わる。
従って、天板４０（仕切り板１０，２０，３０）の前垂れをより確実に防止出来る。しかも、Ｌ金具、コーナーコネクター等を用いることなく前垂れを防止出来るので、Ｌ金具、コーナーコネクター等を使用することによる、載置台１００の意匠性の低下を防ぐことができる。
【００８３】
更に、本実施の形態に係る載置台１００においては、上述したように、上下方向において、仕切り板１０，２０，３０の寸法が、背板５０の寸法より短い。従って、棚板６０は、背板５０の下端より上方向に配置されている。即ち、棚板６０は床から離れて配置されている。
【００８４】
これによって、本実施の形態に係る載置台１００は、棚板６０が床から浮いているような外見を演出でき、見栄えを良くすることができるうえ、棚板６０より下方の掃除が容易になる。
【００８５】
（実施の形態２）
図１１は、本実施の形態に係る載置台１００の外見を表す斜視図である。実施の形態２に係る載置台１００は、仕切り板１０，２０，３０の前方に、ガラス等からなる扉５００を設けている。扉５００は、図１１中の白抜き矢印方向への開閉ができるように構成されている。
【００８６】
これによって、本実施の形態に係る載置台１００は、仕切り板１０，２０，３０、天板４０及び棚板６０によって区画される空間に埃が溜まることを防止できるうえ、斯かる空間に収納されるものを隠し、斯かる部屋の清潔感を高めることができる。
【００８７】
例えば、実施の形態２に係る載置台１００は、背板５０における上方面５８と反対側の下方面５９（他側面）が床６００と当たるように設置されている。また、実施の形態２に係る載置台１００は、背板５０の後面５７における下端部に、切り欠き７０が形成されている。切り欠き７０は、背板５０の下端の長辺側にて、背板５０の長手方向に沿って形成されている。
【００８８】
このような構成を有することから、実施の形態２に係る載置台１００は、壁４００にいわゆる巾木７００が貼り付けられた部屋に設置される場合、切り欠き７０に巾木７００が収容される。これによって、実施の形態２に係る載置台１００と、壁４００との間に隙間ができることに起因して、壁４００への載置台１００の固定が弱まることを未然に防止出来る。
【００８９】
実施の形態１と同様の部分については、同一の符号を付して詳細な説明を省略する。
【符号の説明】
【００９０】
１１，１２，２１，２２，３１，３２  上方抜止部
１３，１４，２３，２４，３３，３４  下方抜止部
１０，２０，３０  仕切り板
４０  天板
４１Ｆ，４１Ｂ，４２Ｆ，４２Ｂ，４３Ｆ，４３Ｂ  第１突起部
４５  下面
５０  背板
５１−５４  挿通穴
５６  前面
５７  後面
５８  上方面
６０  棚板
６１  上面
６２  後側側面
７０  切り欠き
１００  載置台
１０１，１０２，２０１，２０２，３０１，３０２  上方面穴
１０３，１０４，２０３，２０４，３０３，３０４  下方面穴
１２１，１２２，１２３，２２１，２２２，２２３，３２１，３２２，３２３  縦固定穴
１３１，２３１，３３１  後側側面
１３２，２３２，３３２  上方面
１３３，２３３，３３３  下方面
４００  壁
４５１−４５４  第２突起部
５０２−５０９  貫通孔
５４１−５４５  第２ピン部材
５１１，５１２，５１３，５２１，５２２，５２３，５３１，５３２，５３３  第１ピン部材
５５１−５５４  抜止部
６１１，６１２，６２１，６２２，６３１，６３２  第３突起部
６４１−６４５  横固定穴
【図１】
2020054493.tif 000003
【図２】
2020054493.tif 000004
【図３】
2020054493.tif 000005
【図４】
2020054493.tif 000006
【図５】
2020054493.tif 000007
【図６】
2020054493.tif 000008
【図７】
2020054493.tif 000009
【図８】
2020054493.tif 000010
【図９】
2020054493.tif 000011
【図１０】
2020054493.tif 000012
【図１１】
2020054493.tif 000013